(57)【要約】【課題】本発明は結露を効率よく防止することができるとともに、加工した金物本体に発錆防止用のメッキや塗装を施さなくても発錆を防止することができる木造住宅用金物を得るにある。【解決手段】木造住宅の柱、梁、梁桁等に複数本の釘あるいはボルト、ナットで固定される複数本の釘挿入孔あるいはボルト挿入孔が形成された金属材製の金物本体と、この金物本体の外周部を覆うようにドブ漬けあるいは吹き付けにより形成された発泡樹脂材製の保温層とで木造住宅用金物を構成している。【選択図】  図２
2004176273.tif 000002
【特許請求の範囲】
【請求項１】
木造住宅の柱、梁、梁桁等に複数本の釘あるいはボルト、ナットで固定される複数本の釘挿入孔あるいはボルト挿入孔が形成された金属材製の金物本体と、この金物本体の外周部を覆うようにドブ漬けあるいは吹き付けにより形成された発泡樹脂材製の保温層とからなることを特徴とする木造住宅用金物。
【請求項２】
木造住宅の柱、梁、梁桁等に複数本の釘で固定される複数本の釘挿入孔が形成された金属材製の金物本体と、この金物本体の外周部を覆うようにドブ漬けあるいは吹き付けにより硬化後、前記複数本の釘挿入孔部位に凹部ができる発泡樹脂材製の保温層とからなることを特徴とする木造住宅用金物。
【請求項３】
木造住宅の柱、梁、梁桁等に複数本の釘あるいはボルト、ナットで固定される複数本の釘挿入孔あるいはボルト挿入孔が形成された火打金物や羽子板ボルト、筋交い金具、柱取付けプレート等の金物本体と、この金物本体をメッキ処理することなく外周部を覆うようにドブ漬けあるいは吹き付けにより形成された発泡樹脂材製の保温層とからなることを特徴とする木造住宅用金物。
【発明の詳細な説明】
【０００１】
【発明の属する技術分野】
本発明は木造住宅の柱、梁、梁桁等に取付けられる火打金物、羽子板ボルト、筋交い金具、柱取付けプレート等の木造住宅用金物に関する。
【０００２】
【従来の技術】
従来の木造住宅用金物は金属材で形成された金物本体に、発錆を防止するためのメッキあるいは塗装を行なって製造している。
【０００３】
【発明が解決しようとする課題】
従来の木造住宅用金物は、メッキあるいは塗装が施された金属材であるため、柱、梁、梁桁等に取付けられた場合、空気中の水分が金属材部分に付着して結露が生じるという欠点があった。
【０００４】
本発明は以上のような従来の欠点に鑑み、結露を効率よく防止することができるとともに、加工した金物本体に発錆防止用のメッキや塗装を施さなくても発錆を防止することができる木造住宅用金物を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は木造住宅の柱、梁、梁桁等に複数本の釘あるいはボルト、ナットで固定される複数本の釘挿入孔あるいはボルト挿入孔が形成された金属材製の金物本体と、この金物本体の外周部を覆うようにドブ漬けあるいは吹き付けにより形成された発泡樹脂材製の保温層とで木造住宅用金物を構成している。
【０００７】
【発明の実施の形態】
以下、図面に示す実施の形態より、本発明を詳細に説明する。
【０００８】
図１ないし図６に示す本発明の第１の実施の形態において、１は本発明の木造住宅用金物で、この木造住宅用金物１は火打金物として使用することができるように金属材でプレス成形等で形成された金物本体２と、この金物本体２の両端部寄りの部位をほぼ４５度折り曲げて形成された取付部３、３に形成されたボルト挿入孔４、４と、前記金物本体２を図６に示すようにウレタンやポリエチレン等の発泡樹脂溶液５内にドブ漬けして、該金物本体２の外周部を覆うように形成された保温層６とで構成されている。
【０００９】
上記構成の木造住宅用金物１は柱７と梁８等にボルト挿入孔９、９を形成し、木造住宅用金物１の取付部３、３のボルト挿入孔４、４および柱７と梁８のボルト挿入孔９、９にボルト１０、１０を挿入して、ナット１１、１１で締付け固定する。
このため、柱７や梁８と木造住宅用金物１は保温層６を介して接続されるとともに、外表面も保温層６で覆われているため、従来のように金属部分に結露が生じるのを確実に阻止できる。
また、金物本体２にメッキを施しても、あるいはメッキや塗装を施さなくても保温層６で金物本体２の発錆を防止することができるので、メッキや塗装を施さなければより安価に製造することができる。
【００１０】
【発明の異なる実施の形態】
次に、図７ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図７ないし図９に示す本発明の第２の実施の形態において、前記本発明の第１の実施の形態と主に異なる点は、複数本の釘挿入孔１２を取付部３、３に形成した金物本体２Ａと、この金物本体２Ａの外周部を覆うようにドブ漬けにより硬化後、前記複数本の釘挿入孔１２部位に凹部１３ができる発泡樹脂材で形成した保温層６Ａとを用いた点で、このように構成した木造住宅用金物１Ａにしても、前記本発明の第１の実施の形態と同様な作用効果が得られる。
【００１２】
図１０ないし図１２に示す本発明の第３の実施の形態において、前記本発明の第１の実施の形態と主に異なる点は、金物本体２の外周部に発泡樹溶液を吹き付けて保温層６Ｂを形成した点で、このような木造住宅用金物１Ｂにしても、前記本発明の第１の実施の形態と同様な作用効果が得られる。
【００１３】
図１３ないし図１５に示す本発明の第４の実施の形態において、前記本発明の第１の実施の形態と主に異なる点は、羽子板ボルトとして使用できる形状に形成された金物本体２Ｂと、この金物本体２Ｂのボルト１４の先端部を除く部位に保温層６を形成した点で、このように構成された木造住宅用金物１Ｃにしても、前記本発明の第１の実施の形態と同様な作用効果が得られる。
【００１４】
図１６および図１７に示す本発明の第５の実施の形態において、前記本発明の第４の実施の形態と主に異なる点は、梁８等に取付けるボルト１０とナット１１を保温材製のキャップ１５、１６で覆った点で、このように構成した木造住宅用金物１Ｄにしても、前記本発明の第４の実施の形態と同様な作用効果が得られるとともに、ボルト１０、ナット１１も保温キャップ１５、１６で覆って、該部での結露も確実に防止することができる。
【００１５】
図１８ないし図２０に示す本発明の第６の実施の形態において、前記本発明の第１の実施の形態と主に異なる点は、筋交い金具として使用できる形状に形成された金物本体２Ｃと、この金物本体２Ｃの外周部に保温層６を形成した点で、このように構成した木造住宅用金物１Ｅにしても、前記本発明の第１の実施の形態と同様な作用効果が得られる。
【００１６】
図２１ないし図２３に示す本発明の第７の実施の形態において、前記本発明の第１の実施の形態と主に異なる点は、柱取付けプレートとして使用できる形状に形成された金物本体２Ｄと、この金物本体２Ｄの外周部に保温層６を形成した点で、このように構成した木造住宅用金物１Ｆにしても、前記本発明の第１の実施の形態と同様な作用効果が得られる。
【００１７】
【発明の効果】
以上の説明から明らかなように、本発明にあっては次に列挙する効果が得られる。
【００１８】
（１）木造住宅の柱、梁、梁桁等に複数本の釘あるいはボルト、ナットで固定される複数本の釘挿入孔あるいはボルト挿入孔が形成された金属材製の金物本体と、この金物本体の外周部を覆うようにドブ漬けあるいは吹き付けにより形成された発泡樹脂材製の保温層とで構成されているので、保温層によって大気中の湿気が付着する結露を効率よく防止することができる。
したがって、腐食やカビの発生を効率よく阻止することができる。
【００１９】
（２）前記（１）によって、金属材製の金物本体の外周部を発泡樹脂材製の保温層で覆うため、金物本体を加工した状態でそのまま使用しても、発錆を効率よく阻止することができる。
したがって、従来のように発錆防止のためのメッキや塗装を用いなくてもよく、安価に製造することができる。
【００２０】
（３）前記（１）によって、保温層はドブ漬けあるいは吹き付けで形成することができるので、特別な装置が不要で、楽に製造することができる。
【００２１】
（４）前記（１）によって、金物本体に複数本の釘挿入孔が形成されていても、発泡樹脂溶液にドブ漬けや吹き付けて保温層を形成しても、発泡樹脂溶液が発泡硬化すると複数本の釘挿入孔に凹部ができ、確認することができる。
したがって、複数本の釘挿入孔が分からなくなることがないので、より保温層の形成作業を気軽に行なうことができる。
【００２２】
（５）請求項２、３も前記（１）〜（４）と同様な効果が得られる。
【図面の簡単な説明】
【図１】本発明の第１の実施の形態の使用状態の説明図。
【図２】本発明の第１の実施の形態の使用状態の断面図。
【図３】本発明の第１の実施の形態の平面図。
【図４】本発明の第１の実施の形態の正面図。
【図５】図３の５−５線に沿う断面図。
【図６】本発明の第１の実施の形態の保温層の形成状態の説明図。
【図７】本発明の第２の実施の形態の使用状態の説明図。
【図８】本発明の第２の実施の形態の平面図。
【図９】図８の９−９線に沿う断面図。
【図１０】本発明の第３の実施の形態の平面図。
【図１１】図１０の１１−１１線に沿う断面図。
【図１２】本発明の第３の実施の形態の保温層の形成状態の説明図。
【図１３】本発明の第４の実施の形態の使用状態の説明図。
【図１４】本発明の第４の実施の形態の平面図。
【図１５】図１４の１５−１５線に沿う断面図。
【図１６】本発明の第５の実施の形態の使用状態の説明図。
【図１７】本発明の第５の実施の形態の断面図。
【図１８】本発明の第６の実施の形態の使用状態の説明図。
【図１９】本発明の第６の実施の形態の平面図。
【図２０】本発明の第６の実施の形態の正面図。
【図２１】本発明の第７の実施の形態の使用状態の説明図。
【図２２】本発明の第７の実施の形態の平面図。
【図２３】本発明の第７の実施の形態の正面図。
【符号の説明】
１、１Ａ、１Ｂ、１Ｃ、１Ｄ、１Ｅ、１Ｆ：木造住宅用金物、
２、２Ａ、２Ｂ、２Ｃ、２Ｄ：金物本体、
３：取付部、            ４：ボルト挿入孔、
５：発泡樹脂溶液、      ６、６Ａ、６Ｂ：保温層、
７：柱、                ８：梁、
９：ボルト挿入孔、      １０：ボルト、
１１：ナット、          １２：釘挿入孔、
１３：凹部、            １４：ボルト、
１５：キャップ、        １６：キャップ。
【図１】
2004176273.tif 000003
【図２】
2004176273.tif 000004
【図３】
2004176273.tif 000005
【図４】
2004176273.tif 000006
【図５】
2004176273.tif 000007
【図６】
2004176273.tif 000008
【図７】
2004176273.tif 000009
【図８】
2004176273.tif 000010
【図９】
2004176273.tif 000011
【図１０】
2004176273.tif 000012
【図１１】
2004176273.tif 000013
【図１２】
2004176273.tif 000014
【図１３】
2004176273.tif 000015
【図１４】
2004176273.tif 000016
【図１５】
2004176273.tif 000017
【図１６】
2004176273.tif 000018
【図１７】
2004176273.tif 000019
【図１８】
2004176273.tif 000020
【図１９】
2004176273.tif 000021
【図２０】
2004176273.tif 000022
【図２１】
2004176273.tif 000023
【図２２】
2004176273.tif 000024
【図２３】
2004176273.tif 000025